(57)【要約】  【課題】  表示制御装置が表示装置に情報を表示させる際に、表示装置に表示させるべき適切な情報の量を一般的な表示装置に対しても調整することができる表示制御方法、及び表示制御装置を提供する。  【解決手段】  テレビジョン受像機等の表示装置３に情報を表示させる表示制御装置１は、複数種類の出力端子を備え、いずれの出力端子に表示装置３が接続されているかを判定し、判定結果に応じて、表示装置３に表示させる情報の量を調整する。コンポーネント・ビデオ信号を出力するコンポーネント端子等の出力端子に接続可能な表示装置３は、コンポジット端子等の旧来の出力端子のみで接続される表示装置よりも後の時期に普及した表示装置であって画面サイズがより大型である可能性が高いので、表示装置３に表示させる情報の量を多くする。【選択図】        図１
2006319582.tif 000002
【特許請求の範囲】
【請求項１】
複数種類の出力端子を備える表示制御装置で、いずれかの出力端子に接続された表示装置に情報を表示させる表示制御方法において、
前記複数種類の出力端子の内、いずれの出力端子に表示装置が接続されているかを判定し、
判定結果に応じて、前記表示装置に表示させる情報の量を調整すること
を特徴とする表示制御方法。
【請求項２】
所定の出力端子を備える表示制御装置で、前記出力端子に接続された表示装置に情報を表示させる表示制御方法において、
複数種類の表示装置について、表示装置の画面サイズ及び表示装置の種類を識別する識別データを互いに対応づけたテーブルを記憶しておき、
前記出力端子に接続された表示装置の識別データを前記表示装置から前記出力端子を介して読み出し、
読み出した識別データに対応づけられた画面サイズを前記テーブルから抽出することにより、前記表示装置の画面サイズを判定し、
判定した前記表示装置の画面サイズに応じて、前記表示装置に表示させる情報の量を調整すること
を特徴とする表示制御方法。
【請求項３】
複数種類の出力端子と、いずれかの出力端子に接続された外部の表示装置へ前記出力端子から出力端子の種類に応じた信号を出力して、出力した信号に基づいた情報を前記外部の表示装置に表示させる表示制御手段とを備える表示制御装置において、
前記複数種類の出力端子の内、いずれの出力端子に外部の表示装置が接続されているかを判定する判定手段と、
該判定手段による判定結果に応じて、前記表示制御手段が前記外部の表示装置に表示させる情報の量を調整する調整手段と
を備えることを特徴とする表示制御装置。
【請求項４】
前記複数種類の出力端子は、コンポジット・ビデオ信号を出力するコンポジット端子、及びセパレート・ビデオ信号を出力するセパレート端子を含んでおり、
前記調整手段は、
前記セパレート端子に前記外部の表示装置が接続されている場合は、前記コンポジット端子に前記外部の表示装置が接続されている場合よりも前記表示制御手段が前記外部の表示装置に表示させる情報の量を多くする手段を有すること
を特徴とする請求項３に記載の表示制御装置。
【請求項５】
前記複数種類の出力端子は、コンポジット・ビデオ信号を出力するコンポジット端子及び／又はセパレート・ビデオ信号を出力するセパレート端子と、コンポーネント・ビデオ信号を出力するコンポーネント端子とを含んでおり、
前記調整手段は、
前記コンポーネント端子に前記外部の表示装置が接続されている場合は、前記コンポジット端子又は前記セパレート端子に前記外部の表示装置が接続されている場合よりも前記表示制御手段が前記外部の表示装置に表示させる情報の量を多くする手段を有すること
を特徴とする請求項３に記載の表示制御装置。
【請求項６】
所定の出力端子と、該出力端子に接続された外部の表示装置へ前記出力端子から信号を出力して、出力した信号に基づいた情報を前記外部の表示装置に表示させる表示制御手段と、前記外部の表示装置の種類を識別する識別データを前記外部の表示装置から前記出力端子を介して読み出す読み出し手段とを備える表示制御装置において、
複数種類の表示装置について、表示装置の画面サイズ及び識別データを互いに対応づけたテーブルを記憶する手段と、
前記読み出し手段が読み出した識別データに対応づけられた画面サイズを前記テーブルから抽出することにより、前記外部の表示装置の画面サイズを判定する判定手段と、
該判定手段が判定した前記外部の表示装置の画面サイズに応じて、前記表示制御手段が前記外部の表示装置に表示させる情報の量を調整する調整手段と
を備えることを特徴とする表示制御装置。
【請求項７】
前記表示制御手段は、
前記外部の表示装置に所定の電子番組表を表示させる手段を有し、
前記調整手段は、
前記判定手段による判定結果に応じて、前記電子番組表全体の中で前記外部の表示装置に一度に表示させる部分の割合を調整する手段を有すること
を特徴とする請求項３乃至６のいずれか一つに記載の表示制御装置。
【発明の詳細な説明】
【技術分野】
【０００１】
本発明は、テレビジョン受像機等の表示装置に映像を表示させる表示制御方法、及び表示制御装置に関する。
【背景技術】
【０００２】
従来、テレビジョン受像機等の表示装置に接続され、表示装置に対して表示用のデータを入力し、表示装置にデータに基づいて映像の表示を行わせる表示制御装置が用いられている。このような表示制御装置としては、例えば、衛星放送又は地上波放送等での放送信号を受信するチューナを内蔵しており、放送された映像をハードディスク等の記録媒体に記録し、記録した映像を表示装置に表示させる映像の記録再生装置がある。このような表示制御装置は、録画予約を行う番組を使用者に選択させるための電子番組表（ＥＰＧ：Electronic Program Guide）を表示装置に表示させる機能、及び記録媒体に記録している映像の一覧表を表示装置に表示させる機能を有することが多い。
【０００３】
ところで、近年では表示装置の画面サイズの大型化が進む一方、他方では旧来型の画面サイズの表示装置も広く普及しているので、表示制御装置に接続される表示装置の画面サイズは多種に渡ることとなる。従って、ＥＰＧ又は記録した映像の一覧表を表示装置に表示させる際には、表示された情報の内容を使用者が視認しやすいように、表示装置に一度に表示させる情報の量を画面サイズに合わせて調整することが望ましい。そこで、従来は、使用者の操作によって表示装置の画面サイズを入力され、入力された画面サイズに応じて情報の表示量を調整する技術が用いられていた。また特許文献１には、画面サイズに係る情報を表示装置から表示制御装置へ入力し、表示制御装置が入力された情報に応じて情報の表示量を調整する技術が開示されている。
【特許文献１】特開２００２−２４７４７４号公報
【発明の開示】
【発明が解決しようとする課題】
【０００４】
しかしながら、使用者の操作によって入力された画面サイズに応じて情報の表示量を調整する技術では、使用者が行うべき操作が煩雑であるという問題がある。また特許文献１に開示された技術では、画面サイズに係る情報を表示制御装置へ入力する機能を一般的な表示装置は備えていないので、このような機能を備えた特定の表示装置でしかこの技術を利用できないという問題がある。
【０００５】
本発明は、斯かる事情に鑑みてなされたものであって、その目的とするところは、表示装置に表示させるべき適切な情報の表示量を一般的な表示装置に対しても調整することができる表示制御方法、及び表示制御装置を提供することにある。
【課題を解決するための手段】
【０００６】
本発明に係る表示制御方法は、複数種類の出力端子を備える表示制御装置で、いずれかの出力端子に接続された表示装置に情報を表示させる表示制御方法において、前記複数種類の出力端子の内、いずれの出力端子に表示装置が接続されているかを判定し、判定結果に応じて、前記表示装置に表示させる情報の量を調整することを特徴とする。
【０００７】
本発明に係る表示制御方法は、所定の出力端子を備える表示制御装置で、前記出力端子に接続された表示装置に情報を表示させる表示制御方法において、複数種類の表示装置について、表示装置の画面サイズ及び表示装置の種類を識別する識別データを互いに対応づけたテーブルを記憶しておき、前記出力端子に接続された表示装置の識別データを前記表示装置から前記出力端子を介して読み出し、読み出した識別データに対応づけられた画面サイズを前記テーブルから抽出することにより、前記表示装置の画面サイズを判定し、判定した前記表示装置の画面サイズに応じて、前記表示装置に表示させる情報の量を調整することを特徴とする。
【０００８】
本発明に係る表示制御装置は、複数種類の出力端子と、いずれかの出力端子に接続された外部の表示装置へ前記出力端子から出力端子の種類に応じた信号を出力して、出力した信号に基づいた情報を前記外部の表示装置に表示させる表示制御手段とを備える表示制御装置において、前記複数種類の出力端子の内、いずれの出力端子に外部の表示装置が接続されているかを判定する判定手段と、該判定手段による判定結果に応じて、前記表示制御手段が前記外部の表示装置に表示させる情報の量を調整する調整手段とを備えることを特徴とする。
【０００９】
本発明においては、テレビジョン受像機等の表示装置に情報を表示させる録画再生装置等の表示制御装置は、複数種類の出力端子を備え、いずれの出力端子に表示装置が接続されているかを判定し、判定結果に応じて、表示装置に表示させる情報の量を調整する。
【００１０】
本発明に係る表示制御装置は、前記複数種類の出力端子は、コンポジット・ビデオ信号を出力するコンポジット端子、及びセパレート・ビデオ信号を出力するセパレート端子を含んでおり、前記調整手段は、前記セパレート端子に前記外部の表示装置が接続されている場合は、前記コンポジット端子に前記外部の表示装置が接続されている場合よりも前記表示制御手段が前記外部の表示装置に表示させる情報の量を多くする手段を有することを特徴とする。
【００１１】
また本発明においては、表示制御装置は、出力端子として、コンポジット・ビデオ信号を出力するコンポジット端子、及びセパレート・ビデオ信号を出力するセパレート端子を備えており、セパレート端子に表示装置が接続されている場合は、コンポジット端子に表示装置が接続されている場合よりも多い量の情報を表示装置に表示させる。
【００１２】
本発明に係る表示制御装置は、前記複数種類の出力端子は、コンポジット・ビデオ信号を出力するコンポジット端子及び／又はセパレート・ビデオ信号を出力するセパレート端子と、コンポーネント・ビデオ信号を出力するコンポーネント端子とを含んでおり、前記調整手段は、前記コンポーネント端子に前記外部の表示装置が接続されている場合は、前記コンポジット端子又は前記セパレート端子に前記外部の表示装置が接続されている場合よりも前記表示制御手段が前記外部の表示装置に表示させる情報の量を多くする手段を有することを特徴とする。
【００１３】
また本発明においては、表示制御装置は、出力端子として、コンポジット端子及び／又はセパレート端子とコンポーネント・ビデオ信号を出力するコンポーネント端子とを備えており、コンポーネント端子に表示装置が接続されている場合は、コンポジット端子又はセパレート端子に表示装置が接続されている場合よりも多い量の情報を表示装置に表示させる。
【００１４】
本発明に係る表示制御装置は、所定の出力端子と、該出力端子に接続された外部の表示装置へ前記出力端子から信号を出力して、出力した信号に基づいた情報を前記外部の表示装置に表示させる表示制御手段と、前記外部の表示装置の種類を識別する識別データを前記外部の表示装置から前記出力端子を介して読み出す読み出し手段とを備える表示制御装置において、複数種類の表示装置について、表示装置の画面サイズ及び識別データを互いに対応づけたテーブルを記憶する手段と、前記読み出し手段が読み出した識別データに対応づけられた画面サイズを前記テーブルから抽出することにより、前記外部の表示装置の画面サイズを判定する判定手段と、該判定手段が判定した前記外部の表示装置の画面サイズに応じて、前記表示制御手段が前記外部の表示装置に表示させる情報の量を調整する調整手段とを備えることを特徴とする。
【００１５】
本発明においては、表示制御装置は、機種名等の表示装置を識別する識別データと表示装置の画面サイズとを対応づけたテーブルを記憶しておき、表示装置から識別データを読み出し、読み出した識別データに基づいて表示装置の画像サイズを判定し、表示装置に表示させる情報の量を調整する。
【００１６】
本発明に係る表示制御装置は、前記表示制御手段は、前記外部の表示装置に所定の電子番組表を表示させる手段を有し、前記調整手段は、前記判定手段による判定結果に応じて、前記電子番組表全体の中で前記外部の表示装置に一度に表示させる部分の割合を調整する手段を有することを特徴とする。
【００１７】
また本発明においては、表示制御装置は、ＥＰＧ全体の中で表示装置に一度に表示させる部分の割合を変化させることで、表示装置に表示させる情報の量を調整する。
【発明の効果】
【００１８】
本発明にあっては、表示制御装置は、複数種類の出力端子を備え、表示装置が接続されている出力端子の種類に応じて、表示装置に表示させる情報の量を調整することにより、表示装置に表示させるべき情報の量を自動で決定することができるので、表示装置の画面サイズを使用者が入力する必要がなく、表示装置が表示する情報の量を調整するために使用者が行うべき操作の煩雑さが軽減される。また表示装置から表示制御装置へ入力する画面サイズに係る情報を必要とすることなく、表示装置に表示させるべき情報の量を決定することができるので、旧来型の画面サイズの表示装置を含む一般的な表示装置に対しても簡単に情報の表示量を調整することが可能となる。
【００１９】
本発明にあっては、コンポジット・ビデオ信号を出力するコンポジット端子に接続されてる表示装置は旧来普及している小型の画面サイズの表示装置である可能性が高く、また、セパレート・ビデオ信号を出力するセパレート端子に接続されている表示装置はより後で普及した表示装置であって画面サイズがより大型である可能性が高いので、コンポジット端子に表示装置が接続されている場合は表示させる情報の量を縮小し、セパレート端子に表示装置が接続されている場合は表示させる情報の量を多くすることにより、情報の表示内容が必要以上に小さくならずに、使用者が視認しやすい状態で可能な限り充実した情報が表示される。
【００２０】
また本発明にあっては、コンポーネント・ビデオ信号を出力するコンポーネント端子に接続される表示装置は、コンポジット端子又はセパレート端子に接続される表示装置よりも後で普及した表示装置であって画面サイズが更に大型である可能性が高いので、コンポーネント端子に表示装置が接続されている場合は表示させる情報の量を更に多くすることにより、使用者が視認しやすい状態でより多くの情報を使用者に提供することができる。
【００２１】
また本発明にあっては、表示装置から読み出した識別データに基づいて表示装置の画面サイズを判定し、判定した画面サイズに応じて、表示装置に表示させる情報の量を調整することにより、表示装置に表示させるべき情報の量を自動で決定することができるので、表示装置が表示する情報の量を調整するために使用者が行うべき操作の煩雑さが軽減される。また識別データを読み出すことができる出力端子に接続可能な表示装置に対して簡単に情報の表示量を調整することが可能となる。
【００２２】
更に本発明にあっては、接続された表示装置の画面サイズに合わせて、ＥＰＧ全体の中で表示装置に一度に表示させる部分の割合を調整するので、表示装置の画面サイズに応じて使用者が視認しやすい状態で可能な限り充実した番組に係る情報を表示することが可能となる等、本発明は優れた効果を奏する。
【発明を実施するための最良の形態】
【００２３】
以下本発明をその実施の形態を示す図面に基づき具体的に説明する。
（実施の形態１）
図１は、実施の形態１に係る本発明の表示制御装置１の主要な内部構成を示すブロック図である。本発明の表示制御装置１は、衛星放送等の放送信号を受信し、受信した放送信号に基づいた映像をテレビジョン受像機等の表示装置３に表示させ、また映像を記録することができる録画再生装置である。表示制御装置１は、表示制御装置１全体の動作を制御する制御部１１を備えている。制御部１１には、表示制御装置１が行う処理に必要な各種の情報を記憶するＲＡＭ１２、及び表示制御装置１を制御部１１が制御するための制御プログラムを記憶するＲＯＭ１３が接続されている。また制御部１１には、小型の液晶ディスプレイ等の必要な情報を表示するための表示部１５と、使用者による操作を受け付ける操作部１６と、図示しないリモートコントローラ（リモコン）から発信された光信号を受光するリモコン受光部１７とが接続されている。リモコン受光部１７は、図示しないリモコンからの光信号を受光し、受光した内容を制御部１１へ入力する構成となっている。操作部１６は、使用者が操作可能な各種のスイッチの集合でなっており、各スイッチが使用者により操作されることにより、各スイッチに割り当てられた信号を制御部１１へ入力する構成となっている。なお、表示部１５及び操作部１６はタッチパネルを用いて構成してあってもよい。
【００２４】
また制御部１１には、映像信号及び音声信号の処理及び伝送を行う信号処理部２１が接続されている。信号処理部２１には、地上波放送、衛星放送、有線放送、アナログ放送、デジタル放送等の各種の放送を受信するためのチューナ部２３が接続されている。チューナ部２３は、図示しない外部のアンテナ又は通信線に接続されており、このアンテナ又は通信線を介して各種の放送信号を受信する。信号処理部２１は、チューナ部２３が受信した放送信号をデコードして映像信号及び音声信号に変換する等の信号処理を行う。
【００２５】
また制御部１１及び信号処理部２１には、光ディスク又はハードディスク等の記録媒体に対してデータの記録及び読み出しを行うドライブ部２２が接続されている。ドライブ部２２は、外部への取り出しが不可能なハードディスクを内蔵し、内蔵するハードディスクに対してデータの記録及び読み出しを行う構成であってもよく、外部への取り出しが可能な光ディスクを取り込んでデータの記録及び読み出しを行う構成であってもよい。制御部１１は、信号処理部２１及びドライブ部２２の動作を制御し、信号処理部２１は、チューナ部２３が受信した放送信号を処理して記録用にエンコードし、ドライブ部２２は信号処理部２１がエンコードしたデータを記録する。
【００２６】
また信号処理部２１には、外部へ信号を出力するための本発明に係る複数種類の出力端子が接続されている。信号処理部２１には、映像信号として色信号及び輝度信号を分離せずに伝送するコンポジット・ビデオ信号を出力するＲＣＡ端子（コンポジット端子）２４と、色信号及び輝度信号を分離して伝送するセパレート・ビデオ信号を出力するＳ端子（セパレート端子）２５と、輝度信号と色信号を分離した２種類の色差信号とを伝送するコンポーネント・ビデオ信号を出力するＤ端子（コンポーネント端子）２６と、デジタル化した映像信号、音声信号及び制御信号等の信号を出力するＨＤＭＩ（High-Definition Multimedia Interface：登録商標）端子２７とが接続されている。なお、本発明に係るコンポーネント端子として、３端子型のコンポーネント端子を備えた形態であってもよい。テレビジョン受像機等の表示装置３は、通常、ＲＣＡ端子２４、Ｓ端子２５、Ｄ端子２６又はＨＤＭＩ端子２７の内のいずれかの出力端子に対応可能な構成となっており、ＲＣＡ端子２４、Ｓ端子２５、Ｄ端子２６及びＨＤＭＩ端子２７のいずれの出力端子でも、対応するケーブルを用いて、各出力端子に対応する表示装置３に接続されることが可能である。
【００２７】
制御部１１の制御により、信号処理部２１は、チューナ部２３が受信した放送信号又はドライブ部２２が記録媒体から読み出したデータを適宜処理した信号を、表示装置３に接続されたいずれかの出力端子を用いて表示装置３へ出力し、表示装置３は、出力された信号に基づいて映像を表示する。ＲＣＡ端子２４、Ｓ端子２５、Ｄ端子２６及びＨＤＭＩ端子２７の内、ＲＣＡ端子２４に対応する表示装置３は、最も普及しており、旧来型の表示装置３の多くはＲＣＡ端子２４を用いてのみ表示制御装置１に接続が可能な構成となっている。表示装置３がより新しい型となるに従って、Ｓ端子２５に接続が可能な構成となり、更に新しい型ではＤ端子２６及びＨＤＭＩ端子２７に接続が可能な構成となる。表示装置３は、より新しい型となるに従って、画面サイズがより大型化する傾向があるので、Ｓ端子２５に対応する表示装置はＲＣＡ端子２４のみに対応する表示装置よりも画面サイズが大きく、またＤ端子２６及びＨＤＭＩ端子２７に対応する表示装置３は更に画面サイズが大きい可能性が高い。
【００２８】
チューナ部２３は、映像に対応する放送信号以外に、電子番組表（ＥＰＧ：Electronic Program Guide）データを随時受信することが可能な構成となっている。制御部１１は、チューナ部２３が受信したＥＰＧデータをＲＡＭ１２に一旦記憶させ、必要に応じて、表示装置３にＥＰＧを表示させる処理を行う。図２は、表示装置３の画面に表示させたＥＰＧの画面例を示す模式図である。表示制御装置１で放送信号を受信して表示装置３に映像を表示させることが可能な複数のチャンネルの夫々について、一日の各時刻における番組の内容を示す番組表が表示される。本発明の表示制御装置１は、図中に示す如く多くの情報が含まれているＥＰＧを表示する際に、表示する情報量を使用者が見やすいように表示装置３の画面サイズに応じて調整する処理を行う。
【００２９】
図３は、実施の形態１に係る表示制御装置１が表示装置３にＥＰＧを表示させる処理の手順を示すフローチャートである。表示制御装置１の制御部１１は、ＲＯＭ１３が記憶する制御プログラムに従って以下の処理を実行する。制御部１１は、使用者が操作部１６又はリモコンを操作することにより、ＥＰＧ表示の指示が入力されることを待ち受ける（Ｓ１１）。ＥＰＧ表示の指示の入力がない場合は（Ｓ１１：ＮＯ）、制御部１１は、ＥＰＧ表示の指示の入力の待ち受けを続行する。操作部１６又はリモコン受光部１７でＥＰＧ表示の指示が入力された場合は（Ｓ１１：ＹＥＳ）、制御部１１は、ＲＣＡ端子２４、Ｓ端子２５、Ｄ端子２６及びＨＤＭＩ端子２７の各出力端子に掛かる電圧を検査する（Ｓ１２）。出力端子が表示装置３に接続されている場合は、出力端子に掛かる電圧は所定範囲内の値を示す。制御部１１は、次に、各出力端子について検査した電圧に基づいて、いずれの出力端子に表示装置３が接続されているかを判定する（Ｓ１３）。
【００３０】
表示装置３に接続されている出力端子がＲＣＡ端子２４である場合は、制御部１１は、ＲＡＭ１２で記憶するＥＰＧデータに基づいて、ＥＰＧ全体に含まれる情報の一部を表示するための小型画面用のＥＰＧ映像信号を信号処理部２１に生成させる（Ｓ１４）。表示装置３に接続されている出力端子がＳ端子２５である場合は、制御部１１は、ＲＡＭ１２で記憶するＥＰＧデータに基づいて、ＥＰＧ全体に含まれる情報の内、小型画面用よりも多い情報を表示するための中型画面用のＥＰＧ映像信号を信号処理部２１に生成させる（Ｓ１５）。表示装置３に接続されている出力端子がＤ端子２６又はＨＤＭＩ端子２７である場合は、制御部１１は、ＲＡＭ１２で記憶するＥＰＧデータに基づいて、ＥＰＧ全体に含まれる情報の内、中型画面用よりも多い情報を表示するための大型画面用のＥＰＧ映像信号を信号処理部２１に生成させる（Ｓ１６）。ステップＳ１４、ステップＳ１５又はステップＳ１６が終了した後は、制御部１１は、信号処理部２１が生成したＥＰＧ映像信号を表示装置３に接続されたた出力端子から出力して、ＥＰＧを表示装置３に表示させ（Ｓ１７）、処理を終了する。
【００３１】
図４は、小型画面用のＥＰＧの画面例を示す模式図である。表示装置３の画面が小型の画面である場合は、図２に示す如きＥＰＧの全体を表示させると表示が小さくなって使用者の視認性が悪いので、表示制御装置１は、表示装置３に一度に表示させる情報の量を縮小し、図４に示す如くＥＰＧの一部分のみを表示させるようにする。表示の際には、画面上にスクロールボタンを表示し、使用者がリモコンを操作してスクロールボタンを画面上で指定することにより、表示制御装置１は、表示装置３の画面上に表示しているＥＰＧをスクロールさせてＥＰＧの未表示部分を表示させる処理を行う。ＲＣＡ端子２４に接続されている表示装置３は旧来普及している小型の画面サイズの表示装置である可能性が高いので、表示装置３に一度に表示させる情報の量を縮小することにより、表示装置３に表示されたＥＰＧの内容を使用者が視認することが容易となる。
【００３２】
図５は、中型画面用のＥＰＧの画面例を示す模式図である。Ｓ端子２５に接続可能な表示装置３は、ＲＣＡ端子２４のみで接続可能な表示装置よりも後の時期に普及した表示装置であり、画面サイズがより大型である可能性が高い。従って、表示制御装置１は、Ｓ端子２５に接続された表示装置３に、図５に示す如く、ＥＰＧ全体の中で一度に表示させる部分の割合を拡大したＥＰＧの一部分を表示させる。画面サイズが大きくなった分だけ表示させる情報の量を多くすることにより、使用者が視認しやすい状態で可能な限り充実した情報を使用者に提供することができる。この場合でもＥＰＧの全体は表示されないので、画面上にスクロールボタンを表示し、ＥＰＧの未表示部分を表示させることが可能にする。
【００３３】
Ｄ端子２６又はＨＤＭＩ端子２７に接続可能な表示装置３は、Ｓ端子２５に接続可能な表示装置よりも更に後の時期に普及した表示装置であり、画面サイズが更に大型である可能性が高い。従って、表示制御装置１は、図２に示す如き全体を示す大画面用のＥＰＧを表示装置３に表示させる。画面サイズが更に大きくなったので、更に多くの情報を表示させることにより、より多くの情報を使用者に提供することができる。なお、この場合でもＥＰＧの全体を表示しきれない場合は、スクロールバーを表示させる処理を行ってもよい。
【００３４】
表示制御装置１は、ＥＰＧの他に、記録媒体に記録した映像の一覧表を表示装置３に表示させる際にも、表示装置３に接続された出力端子に応じて、表示装置３に一度に表示させる情報の量を調整する処理を行う。
【００３５】
以上詳述した如く、本発明の表示制御装置１は、複数の出力端子を備え、表示装置３にＥＰＧ等の情報を表示させる際に、いずれの出力端子に表示装置３が接続されているかを判定し、表示装置３が接続されている出力端子の種類に応じて、表示装置３に表示させる情報の量を調整する。表示装置３に表示させるべき情報の量を表示制御装置１が自動で決定するので、表示装置３の画面サイズを使用者が入力する必要がなく、使用者が行うべき操作の煩雑さが軽減される。また本発明においては、表示装置３から表示制御装置１へ入力する画面サイズに係る情報を必要とすることなく、表示装置３に表示させるべき情報の量を決定することができるので、旧来型の画面サイズの表示装置を含む一般的な表示装置に対しても簡単に情報の表示量を調整することが可能である。
【００３６】
なお、本実施の形態においては、ＥＰＧを表示装置３に表示させる都度、表示装置３に接続された出力端子を判定する処理を行う処理を示したが、これに限るものではなく、いずれの出力端子に表示装置３に接続されているかを示す情報をＲＡＭ１２に記憶しておき、ＲＡＭ１２に記憶した情報に基づいて、表示装置３に表示させる情報の量を調整する処理を行う形態であってもよい。
【００３７】
また本実施の形態においては、表示制御装置１は、出力端子としてＲＣＡ端子２４、Ｓ端子２５、Ｄ端子２６及びＨＤＭＩ端子２７を備えた形態を示したが、これら全ての出力端子を備えた形態に限るものではなく、ＲＣＡ端子２４、Ｓ端子２５、Ｄ端子２６及びＨＤＭＩ端子２７の内、２種類又は３種類の出力端子のみを備えた形態であってもよい。また表示制御装置１は、出力端子の例として示したＲＣＡ端子２４、Ｓ端子２５、Ｄ端子２６及びＨＤＭＩ端子２７以外の種類の出力端子を備えた形態であってもよい。
【００３８】
また本実施の形態においては、Ｄ端子２６又はＨＤＭＩ端子２７に表示装置３が接続されている場合は、同様の量の情報を表示装置３に表示させる形態を示したが、本発明の表示制御装置１は、ＨＤＭＩ端子２７に表示装置３が接続されている場合に、Ｄ端子２６に表示装置３が接続されている場合よりも多くの情報を表示装置３に表示させる処理を行う形態であってもよい。また表示制御装置１は、ＲＣＡ端子２４、Ｓ端子２５及びＤ端子２６等のアナログ信号を出力する出力端子と、ＨＤＭＩ端子２７等のデジタル信号を出力する出力端子とを備え、デジタル信号を出力する出力端子に表示装置３が接続されている場合は、アナログ信号を出力する出力端子に表示装置３が接続されている場合よりも多くの情報を表示装置３に表示させる処理を行う形態であってもよい。
【００３９】
また本実施の形態においては、表示制御装置１は放送された映像を記録することができる録画再生装置である形態を示したが、本発明の表示制御装置１は、これに限るものではなく、ドライブ部２２及び映像を記録するための機能を備えていないチューナ装置であってもよい。
【００４０】
（実施の形態２）
図６は、実施の形態２に係る本発明の表示制御装置４及び表示装置５の主要な内部構成を示すブロック図である。本実施の形態においては、表示制御装置４は、表示装置３の機種に応じて表示装置３に表示させる情報の量を調整する。表示制御装置４の内部構成は、実施の形態１とほぼ同様であり、対応する部分に同符号を付す。チューナ部２３は、図示しない外部のアンテナ又は通信線に接続されており、このアンテナ又は通信線を介して放送信号及びＥＰＧデータを受信すると共に、市販されている表示装置を識別する識別データと表示装置の画面サイズとを対応づけた情報を随時受信する構成となっている。制御部１１は、チューナ部２３が受信した情報に基づき、表示装置の識別情報と画面サイズとを対応づけた識別テーブルをＲＡＭ４１に記憶させておく。新たな表示装置が発売される都度、新たな情報がチューナ部２３で受信され、ＲＡＭ４１が受信する識別データは常に最新の状態を保っている。信号処理部２１にはＨＤＭＩ端子２７が接続されており、ＨＤＭＩ端子２７には、表示制御装置１外の表示装置５が接続されている。
【００４１】
表示装置５は、表示装置５全体の動作を制御する制御部５１と、ＲＯＭ５５と、表示制御装置４のＨＤＭＩ端子２７との間で各種の信号を入出力する入出力部５４と、液晶ディスプレイ等の表示部５２と、入出力部５４に入力された信号に基づいて表示部５２に映像を表示させるための処理を行う映像処理部５３とを備えている。表示制御装置４は、チューナ部２３が受信した放送信号又はドライブ部２２が記録媒体から読み出したデータを適宜処理した信号を、ＨＤＭＩ端子２７を用いて表示装置５へ出力し、表示装置５は、表示制御装置４から出力された信号を入出力部５４で受け付け、受け付けた信号に基づいた映像を表示部５２で表示する処理を行う。
【００４２】
表示制御装置４のＨＤＭＩ端子２７と表示装置５の入出力部５４との間では、制御信号を入出力することができる構成となっている。またＲＯＭ５５は、表示装置５を識別する機種名等の識別データを記憶している。本実施の形態に係る表示制御装置４は、表示装置５のＲＯＭ５５が記憶する識別データを用いて、表示装置５に表示させる情報の量を調整する処理を行う。
【００４３】
図７は、実施の形態２に係る表示制御装置４が表示装置５にＥＰＧを表示させる処理の手順を示すフローチャートである。表示制御装置１の制御部１１は、ＲＯＭ１３が記憶する制御プログラムに従って以下の処理を実行する。制御部１１は、使用者が操作部１６又はリモコンを操作することにより、ＥＰＧ表示の指示が入力されることを待ち受ける（Ｓ２０１）。ＥＰＧ表示の指示の入力がない場合は（Ｓ２０１：ＮＯ）、制御部１１は、ＥＰＧ表示の指示の入力の待ち受けを続行する。操作部１６又はリモコン受光部１７でＥＰＧ表示の指示が入力された場合は（Ｓ２０１：ＹＥＳ）、制御部１１は、ＨＤＭＩ端子２７から、識別データを要求する制御信号を表示装置５へ送信する（Ｓ２０２）。表示装置５は、識別データを要求する制御信号を入出力部５４で受信し（Ｓ２０３）、制御部５１は、ＲＯＭ５５が記憶している識別データを入出力部５４から表示制御装置４へ送信する（Ｓ２０４）。
【００４４】
表示制御装置４は、表示装置５から送信された識別データをＨＤＭＩ端子２７で受信する（Ｓ２０５）。このようにして、制御部１１及びＨＤＭＩ端子２７は、本発明に係る読み出し手段として機能する。制御部１１は、ＲＡＭ４１で記憶している識別テーブルから、受信した識別データに対応づけられている画面サイズを抽出して、表示装置５の画面サイズを判定する（Ｓ２０６）。制御部１１は、次に、判定した画面サイズに応じた量の情報を含むＥＰＧを表示装置５に表示させるためのＥＰＧ映像信号を信号処理部２１に生成させ（Ｓ２０７）、生成したＥＰＧ映像信号をＨＤＭＩ端子２７から表示装置５へ送信する（Ｓ２０８）。表示装置５は、ＥＰＧ映像信号を入出力部５４で受信し（Ｓ２０９）、受信したＥＰＧ映像信号に基づいて表示部５２でＥＰＧを表示し（Ｓ２１０）、処理を終了する。表示制御装置４は、ＥＰＧの他に、記録媒体に記録した映像の一覧表を表示装置５に表示させる際にも、表示装置５の画面サイズに応じて、表示装置５に表示させる情報の量を調整する処理を行う。
【００４５】
以上の如くにして、実施の形態２に係る表示制御装置４は、表示装置５の識別データに基づいて表示装置５の画面サイズを判定し、判定した画面サイズに応じて、表示装置５に表示させる情報の量を調整する。表示装置５の画面サイズが大型である場合は、図２に示す如くＥＰＧの全体を表示装置５に表示させる。表示装置５の画面サイズが小型である場合は、図４又は図５に示す如くＥＰＧの一部分を表示装置５に表示させる。本実施の形態においても、表示装置５に表示させるべき情報の量を表示制御装置４が自動で決定するので、表示装置５の画面サイズを使用者が入力する必要がなく、使用者が行うべき操作の煩雑さが軽減される。またＨＤＭＩ端子２７に接続可能な表示装置５に対して簡単に情報の表示量を調整することが可能である。
【００４６】
なお、本実施の形態においては、ＥＰＧを表示装置５に表示させる都度、表示装置５から識別データを受信する処理を行う処理を示したが、これに限るものではなく、一度表示装置５の画面サイズを判定した後で、表示装置５の画面サイズを示す情報をＲＡＭ１２に記憶しておき、ＲＡＭ１２に記憶した情報に基づいて、表示装置３に表示させる情報の量を調整する処理を行う形態であってもよい。
【図面の簡単な説明】
【００４７】
【図１】実施の形態１に係る本発明の表示制御装置の主要な内部構成を示すブロック図である。
【図２】表示装置の画面に表示させたＥＰＧの画面例を示す模式図である。
【図３】実施の形態１に係る表示制御装置が表示装置にＥＰＧを表示させる処理の手順を示すフローチャートである。
【図４】小型画面用のＥＰＧの画面例を示す模式図である。
【図５】中型画面用のＥＰＧの画面例を示す模式図である。
【図６】実施の形態２に係る本発明の表示制御装置及び表示装置の主要な内部構成を示すブロック図である。
【図７】実施の形態２に係る表示制御装置が表示装置にＥＰＧを表示させる処理の手順を示すフローチャートである。
【符号の説明】
【００４８】
１、４  表示制御装置
１１  制御部
２１  信号処理部
２４  ＲＣＡ端子（コンポジット端子）
２５  Ｓ端子（セパレート端子）
２６  Ｄ端子（コンポーネント端子）
２７  ＨＤＭＩ端子（コンポーネント端子）
３、５  表示装置
【図１】
2006319582.tif 000003
【図２】
2006319582.tif 000004
【図３】
2006319582.tif 000005
【図４】
2006319582.tif 000006
【図５】
2006319582.tif 000007
【図６】
2006319582.tif 000008
【図７】
2006319582.tif 000009